(57)【要約】【課題】複数の建築要素を平行に接合する際に位置合わせが簡易にできる建築要素接合治具を提供する。【解決手段】本発明に係る建築要素接合治具は、複数のピンを所定の距離を持って固定するピン固定要素と、複数のピンが取り付けられた２つのピン固定要素を互いに連結する連結要素と、を備える。そして、複数のピンの中心軸は、互いに平行である。【選択図】図１
2018159201.tif 000002
【特許請求の範囲】
【請求項１】
複数のピンを所定の距離を持って固定するピン固定要素と、
複数の前記ピンが取り付けられた２つの前記ピン固定要素を互いに連結する連結要素と、を備え、
複数の前記ピンの中心軸は、
互いに平行である、建築要素接合治具。
【請求項２】
前記ピン固定要素は、
複数の前記ピンを着脱自在に固定するピン固定部を有する、請求項１に記載の建築要素接合治具。
【請求項３】
前記ピン固定部は、
円環状に形成され、
前記ピンは、
前記ピン固定部の内側に挿入されて固定される、請求項２に記載の建築要素接合治具。
【請求項４】
前記連結要素は、
２つの前記ピン固定要素を互いに平行に連結する、請求項１〜３の何れか１項に記載の建築要素接合治具。
【請求項５】
前記ピンは、
先端に向かって細くなるテーパ形状部を有する、請求項１〜４の何れか１項に記載の建築要素接合治具。
【請求項６】
前記連結要素は、
２つの前記ピン固定要素の間の距離を変更可能に構成されている、請求項１〜５の何れか１項に記載の建築要素接合治具。
【請求項７】
前記ピン固定要素は、
複数の前記ピンの中心軸に対し垂直な仮想平面において、任意の２つの前記ピンの中心同士を結ぶ仮想線に垂直に設けられた連結軸と、
前記連結軸の外周面に形成されたネジ部と、を備え、
前記連結要素は、
前記ネジ部に螺合し、２つの前記ピン固定要素の前記連結軸同士を一直線上に連結させる、請求項６に記載の建築要素接合治具。
【請求項８】
一方の前記ピン固定要素の前記ネジ部は、
他方の前記ピン固定要素の前記ネジ部に対し逆向きのネジで形成されている、請求項７に記載の建築要素接合治具。
【請求項９】
前記ピンは、
テーパ形状部に目盛り線を有する、請求項１〜８の何れか１項に記載の建築要素接合治具。
【発明の詳細な説明】
【技術分野】
【０００１】
本発明は、建築要素を接合する際に使用する建築要素接合治具に関する。
【背景技術】
【０００２】
従来、構造物の建築において、その構造物を構成する建築要素同士を接合する際は、建築要素間の隙間寸法を合わせてから接合する必要がある。例えば、構造物の柱間に梁を設置する際に、柱と梁との間の隙間は、広い場合又は狭い場合があるため、隙間を所定の寸法に調整してから接合する必要がある。その際には２つの建築要素に開けられた穴に軸を差し込み、その穴同士の距離を合わせることにより、２つの建築要素間の隙間寸法を合わせる治具を使用していた（例えば特許文献１を参照）。
【先行技術文献】
【特許文献】
【０００３】
【特許文献１】実開平６−３７４４９号公報
【発明の概要】
【発明が解決しようとする課題】
【０００４】
梁等を構成する建築要素は、製造上の都合又は運搬時の都合により所定の長さに製造される。例えば、建築要素の長さは運搬車両の荷台の長さに合わせて製造される。構造物によっては、柱間の寸法が長い場合があり、製造されたままの建築要素の長さでは梁として柱に組み付けられない。そのため、構造物の柱間寸法が長い場合は、所定の長さの建築要素を繋ぎ合わせてから柱間に設置される。しかし、複数の建築要素を繋ぎ合わせて梁を構成した場合、建築要素同士の位置合わせの精度により、曲がった状態で接合されたり、又は必要な長さ寸法が精度良く出せないという課題があった。
【０００５】
また、特許文献１に開示されているような調整治具を使用した場合、２つの建築要素にそれぞれ開けられた２つの穴の間の距離しか調整できない。２つの建築要素を繋ぎ合わせて梁を構成する場合においては、２つの建築要素を平行にまっすぐ繋ぎ合わせる必要があるが、特許文献１に開示されている調整治具は、２つの建築要素にそれぞれ設けられた穴間の距離は合わせられるが、それぞれの建築要素の姿勢の矯正はできない。従って、２つの建築要素同士を所定の位置関係に調整する（例えば、２つの建築要素を平行にして並べる）ために時間がかかるという課題があった。これにより、建築要素を所定の位置関係で精度良く接合するのは、困難なものとなっていた。
【０００６】
本発明は、上記の課題を解決するものであり、複数の建築要素を所定の位置関係で接合する際に各建築要素の位置合わせが簡易にできる建築要素接合治具を提供することを目的とする。
【課題を解決するための手段】
【０００７】
本発明に係る建築要素接合治具は、複数のピンを所定の距離を持って固定するピン固定要素と、複数の前記ピンが取り付けられた２つの前記ピン固定要素を互いに連結する連結要素と、を備え、複数の前記ピンの中心軸は、互いに平行である。
【発明の効果】
【０００８】
上記の構成により、建築要素接合治具は、複数の建築要素を精度良く簡易に位置合わせすることができる。これにより、建築要素の接合を効率的に行うことができ、また建築現場において精度の良い建築要素の接合が可能となる。
【図面の簡単な説明】
【０００９】
【図１】本発明の実施の形態１に係る建築要素接合治具の平面図及び側面図である。
【図２】図１の建築要素接合治具の使用状態を示した図である。
【図３】図２の梁にボルト及びナットを締結した状態の側面図である。
【図４】本発明の実施の形態２に係る建築要素接合治具の平面図及び側面図である。
【発明を実施するための形態】
【００１０】
実施の形態１．
以下、図面に基づいて本発明の実施の形態について説明する。各図において、同一の符号を付した部位等については、同一の又はこれに相当する部位等を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の部位等について、特に区別したり、特定したりする必要がない場合には、添字を省略して記載する場合がある。また、図面では各構成部材の大きさの関係が実際のものとは異なる場合がある。
【００１１】
図１は、本発明の実施の形態１に係る建築要素接合治具１００の平面図及び側面図である。図１（ａ）は、建築要素接合治具１００の平面図を表し、図１（ｂ）は、建築要素接合治具１００の側面図を表す。建築要素接合治具１００は、４本のピン１３ａ、１３ｂ、２３ａ、２３ｂをそれぞれのピン１３ａ、１３ｂ、２３ａ、２３ｂの中心軸を平行にした状態で、一体に連結したものである。実施の形態１において、建築要素接合治具１００は、ピン１３ａ、１３ｂ、２３ａ、２３ｂの４本を連結して構成されているが、その本数は４本に限定されるものではない。また、４本のピン１３ａ、１３ｂ、２３ａ、２３ｂは、同一形状である。
【００１２】
図１（ａ）及び図１（ｂ）に示されるように、建築要素接合治具１００は、ピン１３ａとピン１３ｂとがピン固定要素１２により一組に結合されている。ピン固定要素１２は、ピン固定部１１ａ、１１ｂを両端に備える。ピン固定部１１ａ、１１ｂは、それぞれピン１３ａ、１３ｂを着脱自在に固定する。ピン固定部１１ａ、１１ｂは、円環状に形成されており、円環内にピン１３ａ、１３ｂを圧入して固定する。ピン１３ａ、１３ｂは、圧入されて固定されるが、ピン固定部１１ａ、１１ｂから外すこともできる。このように構成されることにより、ピン１３ａ、１３ｂが変形したり、傷ついたりした場合に、ピン１３ａ、１３ｂをピン固定部１１ａ、１１ｂから外し、新しいピン１３ａ、１３ｂを取り付けることができる。
【００１３】
また、図１（ａ）に示されるように、建築要素接合治具１００は、左右対称形状となっている。ピン固定要素１２の中央から連結要素３１が伸びており、その連結要素３１の端部にピン固定要素２２が連結している。ピン固定要素２２は、ピン固定要素１２と同一形状であり、両端にピン固定部２１ａ、２１ｂを備える。ピン固定部２１ａ、２１ｂには、ピン２３ａ、２３ｂが圧入されて固定されている。
【００１４】
なお、ピン１３ａ、１３ｂのピン固定部１１ａ、１１ｂへの固定は、ピン１３ａ、１３ｂを圧入するだけに限定されるものではない。例えば、ピン１３ａ、１３ｂの根元部１５に雄ネジ部を設け、ピン固定部１１ａ、１１ｂに設けられた雌ネジ部に螺合させて固定しても良い。また、ピン固定部１１ａ、１１ｂ側にクランプ機構を設けて、ピン１３ａ、１３ｂを固定しても良い。これは、ピン２３ａ、２３ｂのピン固定部２１ａ、２１ｂへの固定についても同様である。ピン１３ａ、１３ｂ、２３ａ、２３ｂは、それぞれ互いに平行で、ピン固定部１１ａ、１１ｂ、２１ａ、２１ｂからピン１３ａ、１３ｂ、２３ａ、２３ｂの先端までの長さが均一に精度良く固定されれば、固定方法は適宜選択できる。ピン１３ａ、１３ｂ、２３ａ、２３ｂの固定は、着脱自在であることが望ましいが、溶接などの接合手段であっても良い。
【００１５】
ピン固定要素１２とピン固定要素２２とは、互いに平行になるように連結されている。これにより、ピン１３ａ、１３ｂ、２３ａ、２３ｂは全て中心軸が平行になるように固定される。また、ピン固定部１１ａ、１１ｂ、２１ａ、２１ｂは、全て同一平面上に位置する。
【００１６】
実施の形態１においては、連結要素３１は、両端にピン固定要素１２とピン固定要素２２とが固定され、ピン１３ａ、１３ｂ、２３ａ、２３ｂの位置関係が変わらないようにしている。図１において、連結要素３１は、棒状の部材であるが、形状は適宜変更することができる。例えば、連結要素３１を平板状にしても良いし、棒状の部材を２本設けピン固定要素１２とピン固定要素２２との間を連結しても良い。
【００１７】
図１（ｂ）に示されるように、ピン１３ａ、２３ａは、ピン固定部１１ａ、２１ａに固定される部分である根元部１５、２５から図１（ｂ）における下方に向かって細くなるテーパ形状部１６、２６を有する。ピン１３ａ、２３ａの細くなっている側をピン１３ａ、２３ａの先端部１４ａ、２４ａとする。ピン１３ａ、２３ａの先端部１４ａ、２４ａは、先端が丸められており、危険防止かつ建築要素接合治具１００を使用する建築要素１ａ、１ｂが傷つきにくいようになっている。
【００１８】
（建築要素接合治具１００の使用方法）
図２は、図１の建築要素接合治具１００の使用状態を示した図である。図２（ａ）は、平面図、図２（ｂ）は側面図を示す。建築要素接合治具１００は、例えば、構造物の梁１０を構成する建築要素１ａ、１ｂを接合するために用いる。建築要素１ａ、１ｂは、断面がＨ形に形成されたＨ形鋼である。建築要素１ａ、１ｂは、製造された場所から建築現場までの輸送するために、例えばトラックなどの荷台に載せられる程度の長さで製造される。よって、構造物の柱間の寸法によっては、一つの建築要素１ａ、１ｂだけでは柱間に渡す梁としては長さが足りない場合がある。この場合、複数の建築要素１ａ、１ｂを接合し、一つの梁１０として柱間に取り付ける。
【００１９】
梁を構成する建築要素１ａ及び建築要素１ｂは、建築現場に輸送され、建築現場にて接合される。建築要素１ａと建築要素１ｂとは、例えば台の上に置かれ、端部６ａ及び端部６ｂを突き合わせられている。建築要素１ａと建築要素１ｂとは、上面部７ａと上面部７ｂとが略同一面となる様に置かれる。また、建築要素１ａと建築要素１ｂとは、ウェブ８ａ、８ｂ同士、及び下面部９ａ、９ｂ同士を略同一面になる様に置かれる。
【００２０】
建築要素１ａ、１ｂには、ボルト穴５０が設けられている。ボルト穴５０は、建築要素１ａ、１ｂの上面部７ａ、７ｂ、ウェブ８ａ、８ｂ、及び下面部９ａ、９ｂに設けられている。各ボルト穴５０は、貫通穴であり、ボルト６０が挿通されるものである。実施の形態１において、ボルト穴５０は、上面部７ａ、７ｂ及び下面部９ａ、９ｂには４箇所設けられており、ウェブ８ａ、８ｂには２箇所設けられている。
【００２１】
建築要素１ａ、１ｂの接合は、接合用プレート２ａ、２ｂ、３ａ、３ｂ、４ａ、４ｂを建築要素１ａと建築要素１ｂとに跨がって配置させ、接合用プレート２ａ、２ｂ、３ａ、３ｂ、４ａ、４ｂと建築要素１ａ、１ｂとをボルト６０及びナット７０により締結することにより行われる。接合用プレート２ａは、建築要素１ａの上面部７ａと建築要素１ａの１ｂの上面部７ｂとの上に配置されている。また、接合用プレート４ａは、建築要素１ａの上面部７ａ及び建築要素１ｂの上面部７ｂの裏側の面に接して配置される。接合用プレート４ａは、建築要素１ａ、１ｂのウェブ８ａ、８ｂを挟んで反対側にも配置される。図２（ｂ）における建築要素１ａ、１ｂの上面部７ａ、７ｂの接合は、接合用プレート２ａと接合用プレート４ａとにより建築要素１ａ、１ｂの上面部７ａ、７ｂを挟み込み、ボルト６０とナット７０とにより共締めすることにより行われる。
【００２２】
接合用プレート２ａ、４ａ及び建築要素１ａ、１ｂを共締めするには、接合用プレート２ａ、４ａ及び建築要素１ａ、１ｂのそれぞれに設けられたボルト穴５０にボルト６０を挿通させる必要がある。建築要素１ａ、１ｂ及び接合用プレート２ａ、４ａのそれぞれに設けられたボルト穴５０は、所定の位置精度で設けられている。よって、建築要素１ａの端部６ａと建築要素１ｂの端部６ｂとの隙間ｌが、所定の寸法内に収まって突き合わされていれば、各ボルト穴５０と接合用プレート２ａのボルト穴５１と接合用プレート４ａのボルト穴５２との位置が合うため、ボルト６０は各ボルト穴５０、５１、５２に挿通できる。しかし、建築現場において、２つの建築要素１ａ、１ｂを台の上に置いて接合させる場合、建築要素１ａと建築要素１ｂとが平行に真っ直ぐになっていない状態で接合が行われる場合がある。例えば、建築要素１ａと建築要素１ｂとが「く」の字状に折れ曲がって端部６ａと端部６ｂとを突き合わせられている場合がある。または、端部６ａと端部６ｂとの間の隙間が大きすぎたり、小さすぎたりする場合がある。これらの場合、建築要素１ａと建築要素１ｂとを組み合わせて構成された梁１０の長手寸法Ｌが、構造物の柱間寸法に合わず、組み立てられない等の不具合が生じる。つまり、梁１０の端部５ａ、５ｂと柱とが接合できない等の不具合が生じる。実施の形態１に係る建築要素接合治具１００を使用することにより、このような不具合を防止することができる。
【００２３】
図２に示されているように、建築要素接合治具１００は、建築要素１ａと建築要素１ｂとの間に跨がって、それぞれのボルト穴５０に挿入される。建築要素接合治具１００のピン１３ａ、１３ｂは、建築要素１ａのボルト穴５０のうち２つに挿入され、ピン２３ａ、２３ｂは、建築要素１ｂのボルト穴５０のうち２つに挿入されている。図２（ｂ）に示されるように、ピン１３ａ、１３ｂ、２３ａ、２３ｂは、接合用プレート２ａに設けられたボルト穴５１及び接合用プレート４ａに設けられたボルト穴５２にも挿入されても良い。
【００２４】
建築要素接合治具１００は、ピン１３ａ、１３ｂとピン２３ａ、２３ｂとが所定の距離をもって配置されているため、建築要素１ａのボルト穴５０と建築要素１ｂのボルト穴５０とを所定の距離に合わせることができる。ボルト穴５０間の距離を合わせる際には、まず、各ピン１３ａ、１３ｂ、２３ａ、２３ｂの先端部１４ａ、１４ｂ、２４ａ、２４ｂをそれぞれ対応するボルト穴５０に挿入する。先端部１４ａ、１４ｂ、２４ａ、２４ｂは、ボルト穴５０の直径に対し十分細く形成されているため、建築要素１ａのボルト穴５０と建築要素１ｂのボルト穴５０とが所定の位置関係から外れていても、挿入が容易になっている。
【００２５】
建築要素接合治具１００は、ピン１３ａ、１３ｂ、２３ａ、２３ｂの根元部１５、２５近くまでボルト穴５０に差し込まれる。各ボルト穴５０の位置関係が建築要素接合治具１００のピン１３ａ、１３ｂ、２３ａ、２３ｂの位置関係と合っていない場合、ピン１３ａ、１３ｂ、２３ａ、２３ｂとボルト穴５０とが接触し、ピン１３ａ、１３ｂ、２３ａ、２３ｂは、各ボルト穴５０に根元部１５、２５まで差し込まれない。そのため、建築要素１ａ、１ｂを接合する作業者は、各ピン１３ａ、１３ｂ、２３ａ、２３ｂの上面をハンマー等で叩き、各ピン１３ａ、１３ｂ、２３ａ、２３ｂが同じ量だけ差し込まれるようにボルト穴５０に押しこんでいく。各ボルト穴５０は、各ピン１３ａ、１３ｂ、２３ａ、２３ｂの位置関係に合わされるため、建築要素１ａ、１ｂは、所定の位置精度になる様に互いに位置が矯正される。建築要素接合治具１００のピン１３ａ、１３ｂの中心軸を繋ぐ仮想線とピン２３ａ、２３ｂの中心軸を繋ぐ仮想線とは、平行になるように形成されている。よって、建築要素１ａの２つのボルト穴５０の中心軸間を繋ぐ仮想線と建築要素１ｂの２つのボルト穴５０の中心軸間をつなぐ仮想線とが平行になるように、建築要素１ａと建築要素１ｂとの位置関係が矯正される。実施の形態１においては、建築要素１ａと建築要素１ｂとは、長手方向を平行にして、一直線上に位置する様になる。また、建築要素１ａの２つのボルト穴５０と建築要素１ｂの２つのボルト穴５０との間の距離Ｈも所定の寸法になるように矯正される。
【００２６】
図３は、図２の梁１０にボルト６０及びナット７０を締結した状態の側面図である。建築要素１ａと建築要素１ｂとの位置関係が矯正されたら、接合用プレート２ａと接合用プレート４ａとにより建築要素１ａ、１ｂの上面部７ａ、７ｂを挟み込み、ボルト６０とナット７０とにより共締めされる。または、建築要素接合治具１００を挿入したまま、ウェブ８ａ、８ｂに接合用プレート３ａ、３ｂを共締めし、建築要素１ａ、１ｂとを接合しても良い。または、建築要素接合治具１００を挿入したまま、接合用プレート２ａと接合用プレート４ａとにより建築要素１ａ、１ｂの下面部９ａ、９ｂを挟み込み、ボルト６０とナット７０とにより共締めしても良い。図３においては、ボルト６０及びナット７０は、建築要素１ａ、１ｂの上面部７ａ、７ｂのボルト穴５０のうち他の建築要素１ａ、１ｂに近い箇所のボルト穴５０のみに締結されているが、他の各ボルト穴５０にもボルト６０及びナット７０が締結される。
【００２７】
また、実施の形態１において、建築要素接合治具１００は、図２における建築要素１ａ、１ｂの上面部７ａ、７ｂに適用したが、これだけに限定されるものではない。建築要素１ａ、１ｂの仕様や、建築現場において建築要素１ａ、１ｂが組み立てられる状態に応じて、例えばウェブ８ａ、８ｂに設けられたボルト穴５０に建築要素接合治具１００を適用しても良い。
【００２８】
（実施の形態１の効果）
（１）実施の形態１に係る建築要素接合治具１００は、複数のピン１３ａ、１３ｂ、２３ａ、２３ｂを所定の距離を持って固定するピン固定要素１２、２２と、複数のピン１３ａ、１３ｂ、２３ａ、２３ｂが取り付けられた２つのピン固定要素１２、２２を互いに連結する連結要素３１と、を備える。複数のピン１３ａ、１３ｂ、２３ａ、２３ｂの中心軸は、互いに平行である。
このように構成されることにより、建築要素１ａ及び建築要素１ｂのそれぞれに設けられたボルト穴５０間の距離を所定の距離に合わせることができる。ピン固定要素１２、２２にはそれぞれ２本以上のピン１３ａ、１３ｂ、２３ａ、２３ｂが設けられているため、建築要素１ａと建築要素１ｂとの位置関係を所定の位置に合わせることができる。各ピン１３ａ、１３ｂ、２３ａ、２３ｂの位置関係が決まっているため、建築要素１ａと建築要素１ｂとの位置関係を簡易に精度良く合わせることが可能となる。また、複数のピン１３ａ、１３ｂ、２３ａ、２３ｂが連結されているため、各ピン１３ａ、１３ｂ、２３ａ、２３ｂがボルト穴５０に差し込まれている量が均等になるように合わせるのが容易になり、ボルト穴５０にピンを１本ずつ差し込んで建築要素１ａ及び建築要素１ｂの位置関係を合わせるよりも、位置合わせが簡易に行うことができ、組立の精度も向上する。
【００２９】
（２）実施の形態１に係る建築要素接合治具１００によれば、ピン固定要素１２、２２は、複数のピン１３ａ、１３ｂ、２３ａ、２３ｂを着脱自在に固定するピン固定部１１ａ、１１ｂ、２１ａ、２１ｂを有する。
このように構成されることにより、ピン１３ａ、１３ｂ、２３ａ、２３ｂが変形したり、傷ついたりした場合であっても、交換が可能である。また、ボルト穴５０の直径が異なる建築要素１ａ、１ｂであっても、異なる仕様のピンに交換することもできる。
【００３０】
（３）実施の形態１に係る建築要素接合治具１００によれば、ピン固定部１１ａ、１１ｂ、２１ａ、２１ｂは、円環状に形成され、ピン１３ａ、１３ｂ、２３ａ、２３ｂは、ピン固定部１１ａ、１１ｂ、２１ａ、２１ｂの内側に挿入されて固定される。
このように構成されることにより、建築要素接合治具１００は、断面円形のピン１３ａ、１３ｂ、２３ａ、２３ｂを安定的に精度良く保持できる。また、ピン１３ａ、１３ｂ、２３ａ、２３ｂの交換も容易である。
【００３１】
（４）実施の形態１に係る建築要素接合治具１００によれば、２つのピン固定要素１２、２２を互いに平行に連結する。
このように構成されることにより、建築要素接合治具１００は、建築要素１ａと建築要素１ｂとのそれぞれに設けられたボルト穴５０を平行に位置合わせできる。例えば、建築要素１ａ、１ｂに設けられた複数のボルト穴５０が長手方向に対し直角に並べられて設けられている場合、建築要素接合治具１００は、建築要素１ａと建築要素１ｂとを長手方向に平行に位置を合わせることができ、複数の建築要素１ａ、１ｂを組み立てて長手方向に真っ直ぐな梁１０を組み立てることができる。
【００３２】
（５）実施の形態１に係る建築要素接合治具１００によれば、ピン１３ａ、１３ｂ、２３ａ、２３ｂは、先端に向かって細くなるテーパ形状部１６、２６を有する。
このように構成されることにより、建築要素１ａと建築要素１ｂとの位置関係が所定の位置からずれていても、建築要素接合治具１００の各ピン１３ａ、１３ｂ、２３ａ、２３ｂの先端部１４ａ、１４ｂ、２４ａ、２４ｂを各ボルト穴５０に挿入しやすい。また、各ピン１３ａ、１３ｂ、２３ａ、２３ｂの上面に衝撃力を加えることにより、建築要素１ａと建築要素１ｂとを微小な量だけ移動させながらボルト穴５０の位置を調整できる。
【００３３】
実施の形態２．
本発明の実施の形態２に係る建築要素接合治具２００は、実施の形態１に係る建築要素接合治具１００に対し、連結要素３１を変更したものである。実施の形態２に係る建築要素接合治具２００においては、実施の形態１に対する変更点を中心に説明する。実施の形態２に係る建築要素接合治具２００の各部については、各図面において同一の機能を有するものは実施の形態１の説明で使用した図面と同一の符号を付して表示するものとする。
【００３４】
図４は、本発明の実施の形態２に係る建築要素接合治具２００の平面図及び側面図である。図４（ａ）は、建築要素接合治具２００の平面図を表し、図４（ｂ）は、建築要素接合治具２００の側面図を表す。建築要素接合治具２００は、４本のピン１３ａ、１３ｂ、２３ａ、２３ｂをそれぞれのピン１３ａ、１３ｂ、２３ａ、２３ｂの中心軸を平行にした状態で、一体に連結したものである。実施の形態２において、建築要素接合治具２００は、ピン１３ａ、１３ｂ、２３ａ、２３ｂの４本を連結して構成されているが、その本数は４本に限定されるものではない。
【００３５】
実施の形態１に係る建築要素接合治具１００は、連結要素３１が１本の棒状の部材であり、ピン固定要素１２とピン固定要素２２とは、互いに位置関係が変わらないように構成されている。一方、実施の形態２に係る建築要素接合治具２００は、ピン固定要素２１２とピン固定要素２２２との間の距離が変更できる様に構成されている。
【００３６】
建築要素接合治具２００は、ピン１３ａとピン１３ｂとがピン固定要素２１２により一組に結合されている。ピン固定要素２１２は、ピン固定部２１１ａ、２１１ｂを両端に備える。ピン固定部２１１ａ、２１１ｂは、それぞれピン１３ａ、１３ｂを着脱自在に固定する。ピン固定部２１１ａ、２１１ｂは、円環状に形成されており、円環内にピン１３ａ、１３ｂを圧入して固定する。ピン１３ａ、１３ｂは、圧入されて固定されるが、ピン固定部２１１ａ、２１１ｂから外すこともできる。このように構成されることにより、ピン１３ａ、１３ｂが変形したり、傷ついたりした場合に、ピン１３ａ、１３ｂをピン固定部１１ａ、１１ｂから外し、新しいピン１３ａ、１３ｂを取り付けることができる。
【００３７】
ピン固定要素２１２は、その中央部から連結軸２１４が突出している。連結軸２１４は、ピン１３ａ及びピン１３ｂの中心軸に対し垂直な仮想平面において、ピン１３ａとピン１３ｂとの中心同士を結ぶ仮想線に対し垂直な方向に突出している。つまり、図４に示されているように、連結軸２１４は、ピン１３ａ、１３ｂに対し直角に横方向に突出している。なお、ピン固定要素２２２もピン固定要素２１２と同様な構成になっており、ピン固定要素２１２とピン固定要素２２２とは、互いに連結軸２１４を対向させて位置する。
【００３８】
連結軸２１４、２２４は、先端側の領域にネジ部が設けられている。連結軸２１４のネジ部と連結軸２２４のネジ部とは、ネジ山の螺旋の巻方向が互いに異なる。このように構成されることにより、連結軸２１４及び連結軸２２４に螺合する連結要素２３１を回転させると、ピン固定要素２１２とピン固定要素２２２との間の距離が変更できるようになる。なお、ピン固定要素２１２とピン固定要素２２２との間の距離が変更できる構造は、図４に示された形態に限定されず、距離が変更できる構造であれば他の形態をとっても良い。
【００３９】
なお、実施の形態２において、建築要素接合治具２００は、各ピン１３ａ、１３ｂ、２３ａ、２３ｂに目盛り線が設けられていても良い。目盛り線は、各ピン１３ａ、１３ｂ、２３ａ、２３ｂの中心軸に沿って振られており、ピン１３ａ、１３ｂ、２３ａ、２３ｂがボルト穴５０にどの程度差し込まれているかわかるように構成されている。
【００４０】
（実施の形態２の効果）
（６）実施の形態２に係る建築要素接合治具２００によれば、連結要素２３１は、２つのピン固定要素２１２、２２２の間の距離を変更可能に構成されている。
このように構成されることにより、建築要素１ａ、１ｂのボルト穴５０間の距離が、所定の値から外れていてもボルト穴５０にピン１３ａ、１３ｂ、２３ａ、２３ｂを挿入することができる。そして、連結要素２３１を調整することによりピン１３ａ、１３ｂとピン２３ａ、２３ｂとの距離を調整できるため、建築要素１ａ、１ｂにピン１３ａ、１３ｂ、２３ａ、２３ｂを差し込んだ状態のまま、ボルト穴５０間の距離を近づけたり遠ざけたりする調整も可能となる。また、建築要素１ａ、１ｂのボルト穴５０の位置の仕様が異なる場合であっても、ピン固定要素２１２のピン１３ａ、１３ｂとピン固定要素２２２のピン２３ａ、２３ｂとの間の距離を自由に変更できる。
【００４１】
（７）実施の形態２に係る建築要素接合治具２００によれば、ピン固定要素２１２、２２２は、複数のピン１３ａ、１３ｂ、２３ａ、２３ｂの中心軸に対し垂直な仮想平面において、任意の２つのピン１３ａ、１３ｂ、２３ａ、２３ｂの中心同士を結ぶ仮想線に垂直に設けられた連結軸２１４、２２４と、連結軸２１４、２２４の外周面に形成されたネジ部と、を備える。連結要素２３１は、ネジ部に螺合し、２つのピン固定要素２１２、２２２の連結軸２１４、２２４同士を一直線上に連結させる。
（８）また、一方のピン固定要素２１２のネジ部は、他方のピン固定要素２２２のネジ部に対し逆向きのネジで形成されている。
このように構成されることにより、連結要素２３１を連結軸２１４、２２４に対し回転させて、ピン固定要素２１２とピン固定要素２２２との間の距離を簡単な動作で変更することができる。
【００４２】
（９）実施の形態２に係る建築要素接合治具によれば、ピン１３ａ、１３ｂ、２３ａ、２３ｂは、テーパ形状部に目盛り線を有する。
このように構成されることにより、ボルト穴５０に対する各ピン１３ａ、１３ｂ、２３ａ、２３ｂの差し込み量の差異が容易に視認できるため、建築要素１ａと建築要素１ｂと位置合わせの精度が向上する。
【符号の説明】
【００４３】
１ａ  建築要素、１ｂ  建築要素、２ａ  接合用プレート、２ｂ  接合用プレート、３ａ  接合用プレート、３ｂ  接合用プレート、４ａ  接合用プレート、４ｂ  接合用プレート、５ａ  端部、５ｂ  端部、６ａ  端部、６ｂ  端部、７ａ  上面部、７ｂ  上面部、８ａ  ウェブ、８ｂ  ウェブ、９ａ  下面部、９ｂ  下面部、１０  梁、１１ａ  ピン固定部、１１ｂ  ピン固定部、１２  ピン固定要素、１３ａ  ピン、１３ｂ  ピン、１４ａ  先端部、１４ｂ  先端部、１５  根元部、１６  テーパ形状部、２１ａ  ピン固定部、２１ｂ  ピン固定部、２２  ピン固定要素、２３ａ  ピン、２３ｂ  ピン、２４ａ  先端部、２４ｂ  先端部、２５  根元部、２６  テーパ形状部、３１  連結要素、５０  ボルト穴、５１  ボルト穴、５２  ボルト穴、６０  ボルト、７０  ナット、１００  建築要素接合治具、２００  建築要素接合治具、２１１ａ  ピン固定部、２１１ｂ  ピン固定部、２１２  ピン固定要素、２１４  連結軸、２２２  ピン固定要素、２２４  連結軸、２３１  連結要素、Ｈ  距離、Ｌ  長手寸法、ｌ  隙間。
【図１】
2018159201.tif 000003
【図２】
2018159201.tif 000004
【図３】
2018159201.tif 000005
【図４】
2018159201.tif 000006